(57)【特許請求の範囲】
【請求項１】
複数のプライオリティにより通信するユーザ装置（ＵＥ）であって、
上位レイヤから、ＵＥが第１プライオリティレベルに関連するサービスのため無線通信ネットワークにアクセスするリクエストを受信する手段と、
バックオフタイマが実行中であると判断する手段と、
前記第１プライオリティレベル又は前記第１プライオリティレベルより低い第２プライオリティレベルを有する他のＮＡＳ（Ｎｏｎ−Ａｃｃｅｓｓ  Ｓｔｒａｔｕｍ）リクエストメッセージの通信に基づき、前記バックオフタイマが起動されたかという判定に基づきネットワークコントローラへのＮＡＳリクエストメッセージの送信のタイミングを決定する手段と、
を有するユーザ装置。
【請求項２】
前記第１プライオリティレベルを有する他のＮＡＳリクエストメッセージに基づき、前記バックオフタイマが起動されたと判定する手段と、
前記バックオフタイマが満了すると前記ＮＡＳリクエストメッセージを送信する手段と、
を更に有する、請求項１記載のユーザ装置。
【請求項３】
前記第２プライオリティレベルを有する他のＮＡＳリクエストメッセージに基づき、前記バックオフタイマが起動されたと判定する手段と、
前記バックオフタイマの実行中に前記ＮＡＳリクエストメッセージを送信する手段と、
を更に有する、請求項１記載のユーザ装置。
【請求項４】
前記他のＮＡＳリクエストメッセージは、前記第１又は第２プライオリティレベルを示すためのインジケータを有し、
前記他のＮＡＳリクエストメッセージは、アタッチリクエスト、トラッキングエリアアップデートリクエスト又は拡張サービスリクエストであり、
前記ＮＡＳリクエストメッセージは、アタッチリクエスト、トラッキングエリアアップデートリクエスト又は拡張サービスリクエストである、請求項１記載のユーザ装置。
【請求項５】
デバイスコンフィギュレーションマネージメントオブジェクトに関連するコンフィギュレーションパラメータであって、当該ＵＥのコンフィギュレーションを当該ＵＥが無効にできることを示す前記コンフィギュレーションパラメータを追加する手段を更に有し、
前記コンフィギュレーションは、前記第２プライオリティレベル又はＥＡＢ（Ｅｘｔｅｎｄｅｄ  Ａｃｃｅｓｓ  Ｂａｒｒｉｎｇ）コンフィギュレーションに関連するデフォルトコンフィギュレーションであり、
前記コンフィギュレーションパラメータは、任意的に前記無線通信ネットワークのプロバイダにより前記マネージメントオブジェクトに提供される、請求項１乃至４何れか一項記載のユーザ装置。
【請求項６】
前記第２プライオリティレベルに関連するデフォルトコンフィギュレーションを割り当て、前記第２プライオリティレベルを無効にし、前記第１プライオリティレベルを割り当てる能力を提供することによって、デュアルプライオリティコンフィギュレーションにより当該ＵＥを設定する手段を更に有する、請求項１乃至５何れか一項記載のユーザ装置。
【請求項７】
当該ＵＥは、マシーン・ツー・マシーンデバイスであり、
前記ネットワークコントローラは、マシーンタイプ通信（ＭＴＣ）コントローラである、請求項１乃至６何れか一項記載のユーザ装置。
【請求項８】
通信のためデバイスを動作させる方法であって、
前記デバイスが、第１プライオリティレベルに関連するデフォルトコンフィギュレーションを割り当て、前記第１プライオリティレベルより高い第２プライオリティレベルに関連する無効コンフィギュレーションとして前記デフォルトコンフィギュレーションを無効にする能力を提供することによって、デュアルプライオリティコンフィギュレーションにより前記デバイスを設定するステップと、
前記デバイスが、バックオフタイマが実行中であると判定するステップと、
前記デバイスが、前記デバイスが前記第２プライオリティレベルに関連するＰＤＮ（Ｐａｃｋｅｔ  Ｄａｔａ  Ｎｅｔｗｏｒｋ）接続を確立したか、又は確立中であり、前記バックオフタイマが前記第１プライオリティレベルに関連する第１リクエストメッセージにより起動されたと判定するステップと、
前記デバイスが、前記バックオフタイマの実行中に第２リクエストメッセージをネットワークコントローラに送信するステップと、
を有する方法。
【請求項９】
上位レイヤから前記第２リクエストメッセージを受信するステップを更に有する、請求項８記載の方法。
【請求項１０】
前記デバイスが前記デフォルトコンフィギュレーションを無効にすることができることを通知するため、前記デバイスのＮＡＳ（Ｎｏｎ−Ａｃｃｅｓｓ  Ｓｔｒａｔｕｍ）コンフィギュレーションマネージメントオブジェクト（ＭＯ）パラメータを設定するステップを更に有する、請求項８記載の方法。
【請求項１１】
前記デフォルトコンフィギュレーションは、ＮＡＳ低プライオリティ設定又はＥＡＢ（Ｅｘｔｅｎｄｅｄ  Ａｃｃｅｓｓ  Ｂａｒｒｉｎｇ）コンフィギュレーションに関連する、請求項８記載の方法。
【請求項１２】
前記第２リクエストメッセージは、トラッキングエリアアップデートリクエストメッセージ又はサービスリクエストメッセージであり、
前記デバイスは、マシーン・ツー・マシーンデバイスである、請求項８乃至１１何れか一項記載の方法。
【請求項１３】
請求項８乃至１２何れか一項記載の方法をコンピュータに実行させるためのコンピュータプログラム。
【請求項１４】
ユーザ装置（ＵＥ）であって、
バックオフタイマが実行中であると判定し、当該ＵＥが第１プライオリティレベルに関連するＰＤＮ（Ｐａｃｋｅｔ  Ｄａｔａ  Ｎｅｔｗｏｒｋ）接続を確立したか、又は確立中であり、前記バックオフタイマが前記第１プライオリティレベルより低い第２プライオリティレベルに関連する第１リクエストメッセージにより起動されたと判定するシステム制御ロジックと、
前記システム制御ロジックに接続され、前記バックオフタイマの実行中にネットワークコントローラに第２リクエストメッセージを送信する通信インタフェースと、
を有するユーザ装置。
【請求項１５】
前記システム制御ロジックは更に、上位レイヤから前記第２リクエストメッセージを受信する、請求項１４記載のユーザ装置。
【請求項１６】
前記第２リクエストメッセージは、トラッキングエリアアップデートリクエストメッセージ又はサービスリクエストメッセージである、請求項１４記載のユーザ装置。
【請求項１７】
前記第１リクエストメッセージは、アタッチリクエスト、トラッキングエリアアップデートリクエスト又は拡張サービスリクエストメッセージである、請求項１４記載のユーザ装置。
【請求項１８】
当該ＵＥは、マシーン・ツー・マシーンデバイスである、請求項１４乃至１７何れか一項記載のユーザ装置。
【請求項１９】
各種プライオリティを用いて通信するユーザ装置であって、
当該ユーザ装置がＮＡＳ（Ｎｏｎ−Ａｃｃｅｓｓ  Ｓｔｒａｔｕｍ）シグナリング低プライオリティに設定されていることを示すための低プライオリティインジケータによるデバイスプロパティ情報エレメントを１以上のＮＡＳメッセージに含めることによって、低プライオリティ通信に当該ユーザ装置を設定し、当該ユーザ装置がＮＡＳシグナリング低プライオリティに設定されていないことを示すための低プライオリティインジケータによるデバイスプロパティ情報エレメントを少なくとも１つのＮＡＳメッセージに含めることによって、非低プライオリティ通信に当該ユーザ装置を設定する１以上のモジュールであって、当該ユーザ装置はＥＰＳモビリティマネージメント手順を実行するため非低プライオリティ通信に設定される、１以上のモジュールと、
前記１以上のモジュールを実現する１以上のプロセッサと、
を有するユーザ装置。
【請求項２０】
当該ユーザ装置は、当該ユーザ装置がＮＡＳシグナリング低プライオリティに設定されていないことを示すよう設定されるデバイスプロパティ情報エレメントを有するＮＡＳメッセージによって確立されるＰＤＮ（Ｐａｃｋｅｔ  Ｄａｔａ  Ｎｅｔｗｏｒｋ）接続に関するＥＰＳモビリティマネージメント手順を実行するため、非低プライオリティ通信に設定される、請求項１９記載のユーザ装置。
【請求項２１】
前記１以上のモジュールは更に、ＥＰＳモビリティマネージメント手順を実行するため、当該ユーザ装置がＮＡＳシグナリング低プライオリティに設定されていないことを示すよう設定されるデバイスプロパティ情報エレメントを有する他のＮＡＳメッセージを送信する、請求項１９又は２０記載のユーザ装置。
【請求項２２】
各種プライオリティにより通信するユーザ装置（ＵＥ）であって、
無線通信ネットワーク上のマシーンタイプ通信についてデフォルトコンフィギュレーションとして第１プライオリティレベルにより当該ＵＥを設定する手段と、
当該装置に関連するアプリケーションから、前記アプリケーションが前記第１プライオリティレベルより高い第２プライオリティレベルに関連していることを示す通知を受信する手段と、
前記通知に応答して、マシーンタイプ通信について無効コンフィギュレーションとして前記第２プライオリティレベルにより当該装置を設定する手段と、
を有するユーザ装置。
【請求項２３】
以前の通信に関連するバックオフタイマが実行中であるか判定する手段を更に有する、請求項２２記載のユーザ装置。
【請求項２４】
前記以前の通信が前記第１プライオリティレベルに関連するか判定する手段と、
前記以前の通信が前記第１プライオリティレベルに関連すると判定されると、ネットワークコントローラとの通信を開始する手段と、
を更に有する、請求項２３記載のユーザ装置。
【請求項２５】
上位レイヤから、ユーザ装置（ＵＥ）が第１プライオリティレベルに関連するサービスのため無線通信ネットワークにアクセスするリクエストを受信するステップと、
バックオフタイマが実行中であると判断するステップと、
前記バックオフタイマが前記第１プライオリティレベル又は前記第１プライオリティレベルより低い第２プライオリティレベルを有する第１のＮＡＳ（Ｎｏｎ−Ａｃｃｅｓｓ  Ｓｔｒａｔｕｍ）リクエストメッセージに基づき起動されたか、格納されている通知に基づき判断するステップと、
前記第１プライオリティレベル又は前記第２プライオリティレベルを有する前記第１のＮＡＳリクエストメッセージに基づき前記バックオフタイマが起動されたかという判定に基づき、ネットワークコントローラへの第２のＮＡＳリクエストメッセージの送信のタイミングを決定するステップと、
を、実行時にデバイスに実行させる命令を有するコンピュータ可読記憶媒体。
【請求項２６】
前記命令は、
前記第１プライオリティレベルを有する前記第１のＮＡＳリクエストメッセージに基づき、前記バックオフタイマが起動されたと判定するステップと、
前記バックオフタイマが満了すると前記第２のＮＡＳリクエストメッセージを送信するステップと、
を実行時に前記デバイスに更に実行させる、請求項２５記載のコンピュータ可読記憶媒体。
【請求項２７】
前記命令は、
前記第２プライオリティレベルを有する前記第１のＮＡＳリクエストメッセージに基づき、前記バックオフタイマが起動されたと判定するステップと、
前記バックオフタイマの実行中に前記第２のＮＡＳリクエストメッセージを送信するステップと、
を実行時に前記デバイスに更に実行させる、請求項２５記載のコンピュータ可読記憶媒体。
【請求項２８】
前記第１のＮＡＳリクエストメッセージは、前記第１又は第２プライオリティレベルを示すためのインジケータを有する、請求項２５記載のコンピュータ可読記憶媒体。
【請求項２９】
前記第１のＮＡＳリクエストメッセージは、アタッチリクエスト、トラッキングエリアアップデートリクエスト又は拡張サービスリクエストである、請求項２８記載のコンピュータ可読記憶媒体。
【請求項３０】
前記第２のＮＡＳリクエストメッセージは、アタッチリクエスト、トラッキングエリアアップデートリクエスト又は拡張サービスリクエストである、請求項２５記載のコンピュータ可読記憶媒体。
【請求項３１】
前記命令は、
デバイスコンフィギュレーションマネージメントオブジェクトに関連するコンフィギュレーションパラメータであって、前記デバイスのコンフィギュレーションを前記デバイスが無効にできることを示す前記コンフィギュレーションパラメータを追加するステップを実行時に前記デバイスに更に実行させ、
前記コンフィギュレーションは、前記第２プライオリティレベル又はＥＡＢ（Ｅｘｔｅｎｄｅｄ  Ａｃｃｅｓｓ  Ｂａｒｒｉｎｇ）コンフィギュレーションに関連するデフォルトコンフィギュレーションである、請求項２５記載のコンピュータ可読記憶媒体。
【請求項３２】
前記コンフィギュレーションパラメータは、前記無線通信ネットワークのプロバイダにより前記マネージメントオブジェクトに提供される、請求項３１記載のコンピュータ可読記憶媒体。
【請求項３３】
前記ＵＥは、マシーン・ツー・マシーンデバイスである、請求項２５記載のコンピュータ可読記憶媒体。
【請求項３４】
前記命令は、
前記第２プライオリティレベルに関連するデフォルトコンフィギュレーションを割り当て、前記第２プライオリティレベルを無効にし、前記第１プライオリティレベルを割り当てる能力を提供することによって、デュアルプライオリティコンフィギュレーションにより前記デバイスを設定するステップを実行時に前記デバイスに更に実行させる、請求項２５記載のコンピュータ可読記憶媒体。
【請求項３５】
請求項２５記載の１以上のコンピュータ可読記憶媒体を有する装置であって、
前記１以上のコンピュータ可読記憶媒体に接続され、前記命令を実行するよう設定される１以上のプロセッサを更に有する装置。
【請求項３６】
当該装置は、マシーン・ツー・マシーンデバイスである、請求項３５記載の装置。
【請求項３７】
前記ネットワークコントローラは、マシーンタイプ通信（ＭＴＣ）コントローラである、請求項３６記載の装置。
【請求項３８】
ユーザ装置（ＵＥ）であって、
当該ＵＥが第１プライオリティレベルに関連するサービスのため無線通信ネットワークにアクセスするリクエストを受信するロジックと、
バックオフタイマが実行中であると判断するロジックと、
前記バックオフタイマが前記第１プライオリティレベル又は前記第１プライオリティレベルより低い第２プライオリティレベルを有する第１のＮＡＳ（Ｎｏｎ−Ａｃｃｅｓｓ  Ｓｔｒａｔｕｍ）リクエストメッセージに基づき起動されたか、格納されている通知に基づき判断するロジックと、
前記第１プライオリティレベル又は前記第２プライオリティレベルを有する前記第１のＮＡＳリクエストメッセージに基づき前記バックオフタイマが起動されたかという判定に基づき、ネットワークコントローラへの第２のＮＡＳリクエストメッセージの送信のタイミングを決定するロジックと、
を有するユーザ装置。
【請求項３９】
前記第１プライオリティレベルを有する前記第１のＮＡＳリクエストメッセージに基づき、前記バックオフタイマが起動されたと判定するロジックと、
前記バックオフタイマが満了すると前記第２のＮＡＳリクエストメッセージを送信するロジックと、
を更に有する、請求項３８記載のユーザ装置。
【請求項４０】
前記第２プライオリティレベルを有する前記第１のＮＡＳリクエストメッセージに基づき、前記バックオフタイマが起動されたと判定するロジックと、
前記バックオフタイマの実行中に前記第２のＮＡＳリクエストメッセージを送信するロジックと、
を更に有する、請求項３８記載のユーザ装置。
【請求項４１】
前記第２のＮＡＳリクエストメッセージは、前記第１又は第２プライオリティレベルを示すためのインジケータを有し、
前記第２のＮＡＳリクエストメッセージは、アタッチリクエスト、トラッキングエリアアップデートリクエスト又は拡張サービスリクエストであり、
前記第１のＮＡＳリクエストメッセージは、アタッチリクエスト、トラッキングエリアアップデートリクエスト又は拡張サービスリクエストである、請求項３８記載のユーザ装置。
【請求項４２】
デバイスコンフィギュレーションマネージメントオブジェクトに関連するコンフィギュレーションパラメータであって、当該ＵＥのコンフィギュレーションを当該ＵＥが無効にできることを示す前記コンフィギュレーションパラメータを追加するロジックを更に有し、
前記コンフィギュレーションは、前記第２プライオリティレベル又はＥＡＢ（Ｅｘｔｅｎｄｅｄ  Ａｃｃｅｓｓ  Ｂａｒｒｉｎｇ）コンフィギュレーションに関連するデフォルトコンフィギュレーションであり、
前記コンフィギュレーションパラメータは、任意的に前記無線通信ネットワークのプロバイダにより前記マネージメントオブジェクトに提供される、請求項３８記載のユーザ装置。
【発明の詳細な説明】
【技術分野】
【０００１】
本出願は、２０１２年２月６日に出願された米国仮特許出願第６１／５９５，５７６号“Ａｄｖａｎｃｅｄ  Ｗｉｒｅｌｅｓｓ  Ｃｏｍｍｕｎｉｃａｔｉｏｎ  Ｓｙｓｔｅｍｓ  ａｎｄ  Ｔｅｃｈｎｉｑｕｅｓ”、２０１２年６月１８日に出願された米国出願第１３／５２６，３０７号“Ｈａｎｄｌｉｎｇ  Ｄｕａｌ  Ｐｒｉｏｒｉｔｙ  Ａｐｐｌｉｃａｔｉｏｎｓ  ｉｎ  ａ  Ｗｉｒｅｌｅｓｓ  Ｃｏｍｍｕｎｉｃａｔｉｏｎ  Ｎｅｔｗｏｒｋ”及び２０１２年９月２０日に出願された米国出願第１３／６２３，７７９号“Ｈａｎｄｌｉｎｇ  Ｄｕａｌ  Ｐｒｉｏｒｉｔｙ  Ａｐｐｌｉｃａｔｉｏｎｓ  ｉｎ  ａ  Ｗｉｒｅｌｅｓｓ  Ｃｏｍｍｕｎｉｃａｔｉｏｎ  Ｎｅｔｗｏｒｋ”に対する優先権を主張する。これらの出願の明細書は、全ての目的のためその全体が参照することによりここに援用される。
【０００２】
本開示の実施例は、一般に無線通信システムの分野に関し、より詳細には無線通信ネットワークにおけるマシーン・ツー・マシーン通信に関する。
【背景技術】
【０００３】
マシーン・ツー・マシーン（“Ｍ２Ｍ”）無線マシーン又はデバイス（以降、“Ｍ２Ｍデバイス”として参照される）は、ほとんど又は全く人手による介入なく他のＭ２Ｍデバイスと主として又は排他的に通信する。Ｍ２Ｍデバイスの具体例は、無線気象センサ、アセンブリラインセンサ、ある車両群の車両を追跡するためのメータなどを含む。多数のケースでは、これらのＭ２Ｍデバイスは、無線ネットワークに接続し、インターネットなどのワイドエリアネットワークなどを介しネットワークサーバと通信する。Ｍ２Ｍデバイスは、２００９年５月２９日に公開されたＩＥＥＥ  ８０２．１６  ｓｔａｎｄａｒｄ，ＩＥＥＥ  Ｓｔｄ．８０２．１６−２００９（“ＷｉＭＡＸ”）と共に、Ｔｈｉｒｄ  Ｇｅｎｅｒａｔｉｏｎ  Ｐａｒｔｎｅｒｓｈｉｐ  Ｐｒｏｊｅｃｔ（“３ＧＰＰ”）ネットワークにおいて利用されてもよい。３ＧＰＰ  Ｌｏｎｇ  Ｔｅｒｍ  Ｅｖｏｌｕｔｉｏｎ（“ＬＴＥ”）  Ｒｅｌｅａｓｅ  １０（Ｍａｒｃｈ  ２０１１）（“ＬＴＥ  Ｓｔａｎｄａｒｄ”）の用語では、Ｍ２Ｍ通信は、“マシーンタイプ通信”（“ＭＴＣ”）とも呼ばれる。ネットワークの観点から、Ｍ２Ｍ通信は、相対的に高い遅延耐性及び頻繁でないデータ伝送のため相対的に低いプライオリティの通信であるとみなされる。しかしながら、低プライオリティレベルで通常は通信する大部分のＭ２Ｍデバイスは、低プライオリティより高いプライオリティレベルで通信する必要があるレアな機会を有するかもしれない。
【図面の簡単な説明】
【０００４】
添付した図面に関して以下の詳細な説明によって実施例が容易に理解されるであろう。この説明を容易にするため、同様の参照番号は同様の構成要素を示す。添付した図面において、実施例が例示的に限定することなく示される。
【図１】図１は、ある実施例による一例となる無線通信ネットワークを示す。
【図２】図２は、ある実施例によるユーザ装置（モバイルデバイス）と無線通信ネットワークとの間の一例となる通信を示すブロック図である。
【図３】図３は、ある実施例によるユーザ装置（モバイルデバイス）と無線通信ネットワークとの間の一例となる通信を示すブロック図である。
【図４】図４は、ある実施例による無線通信ネットワークにおけるネットワークコントローラとユーザ装置との間の通信のための処理フロー図である。
【図５】図５は、ある実施例による無線ネットワーク環境におけるユーザ装置によるデュアルプライオリティを処理するための処理フロー図である。
【図６】図６は、ある実施例による輻輳した無線ネットワーク環境におけるユーザ装置によるデュアルプライオリティを処理するための処理フロー図である。
【図７】図７は、ここに開示される各種実施例を実施するのに利用可能な一例となるシステムを示す。
【発明を実施するための形態】
【０００５】
本開示の実施例は、無線通信ネットワークにおいてデュアルプライオリティデバイスを処理するためのデータ技術及びコンフィギュレーションを提供する。以下の詳細な説明では、これの一部を構成する添付した図面が参照され、全体を通じて同様の番号が同様のパーツを示し、本開示の主題が実施可能な実施例が例示される。他の実施例が利用されてもよく、構成的又は論理的変更が本開示の範囲から逸脱することなく可能であることが理解されるべきである。従って、以下の詳細な説明は、限定的な意味で解釈されるべきでなく、実施例の範囲は添付した請求項及びそれらの均等によって規定される。
【０００６】
各種処理は、請求項された主題を理解するのに最も役立つ方法により複数の個別の処理として説明される。しかしながら、説明の順序は、これらの処理が順序に依存する必要があることを意味するものとして解釈されるべきでない。特に、これらの処理は、提示された順序により実行されなくてもよい。開示される処理は、開示された実施例と異なる順序により実行されてもよい。各種の更なる処理が実行され、及び／又は開示される処理は更なる実施例において省略されてもよい。
【０００７】
本説明は、それぞれが同一の又は異なる実施例の１以上を参照する“ある実施例では”又は“実施例では”というフレーズを利用する。さらに、本開示の実施例に関して利用される“有する”、“含む”などの用語は同義的である。
【０００８】
ここで用いられる“モジュール”という用語は、開示される機能を提供する１以上のソフトウェア若しくはファームウェアプログラム、組み合わせ論理回路及び／又は他の適切なコンポーネントを実行するＡＩＳＣ（Ａｐｐｌｉｃａｔｉｏｎ−Ｓｐｅｃｉｆｉｃ  Ｉｎｔｅｇｒａｔｅｄ  Ｃｉｒｃｕｉｔ）、電子回路、プロセッサ（共有、専用又はグループ）及び／又はメモリ（共有、専用又はグループ）を参照し、一部であり、又は含むものであってもよい。
【０００９】
例示的な実施例は、何れかの訂正、更新及び／又は改訂を含む３ＧＰＰ  ＬＴＥネットワーク（例えば、ＬＴＥ  Ｒｅｌｅａｓｅ  １０（ＬＴＥ−Ａｄｖａｎｃｅｄ（ＬＴＥ−Ａ）、ＬＴＥ  Ｒｅｌｅａｓｅ  １１などとも呼ばれる））、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）ネットワークなどのネットワークを含む無線通信ネットワークに関して説明される。ここに開示される実施例は、ｅｖｏｌｏｖｅｄ  ｎｏｄｅ基地局（ｅＮＢ）を有するｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、ゲートウェイ、管理エンティティなどを有するｅｖｏｌｖｅｄパケットコアなどのコアネットワークなどの無線アクセスネットワークに関して実行される。
【００１０】
他の実施例では、ここに開示される通信方式は、更なる／代替的な通信規格、仕様及び／又はプロトコルと互換的である。例えば、本開示の実施例は、同様の効果が取得可能な他のタイプの無線ネットワークに適用されてもよい。このようなネットワークは、限定することなく、ＷＬＡＮ（Ｗｉｒｅｌｅｓｓ  Ｌｏｃａｌ  Ａｒｅａ  Ｎｅｔｗｏｒｋ）、ＷＰＡＮ（Ｗｉｒｅｌｅｓｓ  Ｐｅｒｓｏｎａｌ  Ａｒｅａ  Ｎｅｔｗｏｒｋ）及び／又はセルラネットワークなどのＷＷＡＮ（Ｗｉｒｅｌｅｓｓ  Ｗｉｄｅ  Ａｒｅａ  Ｎｅｔｗｏｒｋ）を含むものであってもよい。
【００１１】
以下の実施例は、モバイルワイヤレスラジオシステムの送信機及び受信機を含む各種アプリケーションにおいて利用されてもよい。実施例の範囲内に具体的に含まれる無線システムは、限定することなく、ネットワークインタフェースカード（ＮＩＣ）、ネットワークアダプタ、基地局、アクセスポイント（ＡＰ）、中継ノード、ｅＮＢ、ゲートウェイ、ブリッジ、ハブ及び衛星無線電話を含む。さらに、実施例の範囲内の無線システムは、衛星システム、パーソナル通信システム（ＰＣＳ）、双方向無線システム、ＧＰＳ（Ｇｌｏｂａｌ  Ｐｏｓｉｔｉｏｎｉｎｇ  Ｓｙｓｔｅｍ）、双方向ページャ、パーソナルコンピュータ（ＰＣ）及び関連する周辺装置、ＰＤＡ（Ｐｅｒｓｏｎａｌ  Ｄｉｇｉｔａｌ  Ａｓｓｉｓｔａｎｔ）、パーソナル計算アクセサリ及び本来的に関連性があり、実施例の原理が適切に適用可能な全ての既存の及び将来的に出現するシステムを含むものであってもよい。
【００１２】
ここに開示される技術は、Ｍ２Ｍデバイスなどのユーザ装置（ＵＥ）が無線ネットワーク環境においてＵＥにより開始される通信のための少なくとも２つのプライオリティレベル（デュアルプライオリティなど）を提供することを可能にする。ある無線通信環境では、Ｍ２Ｍネットワークオーバロード制御作業は、Ｍ２Ｍデバイス上で実行される全てのアプリケーションについてＭ２Ｍデバイスを単一のプライオリティレベルに制限することによって簡単化されてもよい。当該デバイスは、“低プライオリティ”又は“ノーマルプライオリティ”の何れかのプライオリティレベルに割り当てられてもよい。実際、多数のマシーンタイプ通信は“低プライオリティ”としてカテゴリ化され、Ｍ２Ｍデバイスは当該設定に割り当てられてもよい。
【００１３】
しかしながら、“低プライオリティ”を通常利用する大部分のＭ２Ｍデバイスはまた、“ノーマル”プライオリティ設定を利用する必要がある頻繁でないレアな機会を有する可能性がある。例えば、デイリレポート（例えば、時間単位の利用など）を送信する電気メータは、当該レポートを“低プライオリティ”として送信する。しかしながら、例えば、メータが改ざん又は破壊されている場合など、電気メータが“ノーマルプライオリティ”によりアラームを送信することを所望する具体例があるかもしれない。
【００１４】
他の例では、道路温度センサは、「私は依然として動作中です」という通信を“低プライオリティ”で毎日送信するが、道路温度が氷点下に低下した場合、“ノーマルプライオリティ”により警告をコントロールセンタに即座に送信する必要があるかもしれない。
【００１５】
更なる他の例では、Ｍ２Ｍデバイスは、複数のアプリケーションを管理してもよい。例えば、Ｍ２Ｍデバイス上に常駐する室温アプリケーションは、“低プライオリティ”を用いてデータ伝送を要求するが、同一のデバイス上に常駐するビデオストリーミングアプリケーションは、“ノーマルプライオリティ”を用いてデータ伝送を要求するかもしれない。ここに開示される実施例は上記の具体例に限定されず、上記の具体例は、本開示に記載される技術の例示のため含まれる。
【００１６】
デバイスが通信のため“低プライオリティ”又は“ノーマルプライオリティ”の何れかしか利用しない場合、本当の“低プライオリティ”デバイスがレアな“ノーマルプライオリティ”イベントをサポートする必要性は、ＭＴＣカスタマが自らのＭ２Ｍデバイスについて“低プライオリティ”設定を利用することをやめさせるかもしれない。代わりに、ＭＴＣカスタマは、常時“ノーマルプライオリティ”通信レベルにそれらのデバイスを設定することが奨励されるかもしれない。これは、追加的なネットワークオーバロードに関する望ましくない結果を有するかもしれない。
【００１７】
本発明の実施例は、アプリケーションが“ノーマルプライオリティ”通信を送信する必要がある場合、デバイスのデフォルトの“低プライオリティ”設定を無効にする機能を有するＭ２Ｍデバイスに常駐するアプリケーションを提供する。
【００１８】
一実施例では、ＵＥ及び／又はＵＥにより開始される通信（ＵＥにより管理されるアプリケーションにより発信されるリクエストなど）は、デフォルト（低いなど）プライオリティレベルに割り当てられてもよい。いくつかのケースでは、例えば、より詳細に後述される緊急時及び他の状況において、ＵＥは、発信されたリクエストに関連するデフォルトプライオリティを無効にし、より高い（ノーマルなど）プライオリティレベルを発信されたリクエストに割り当て、それは割り当てられたプライオリティレベルに従ってネットワークにより扱われる。例えば、ネットワークが輻輳し、デフォルトプライオリティ（又は低プライオリティレベル）に関連付けされたリクエスト又は他の通信をＵＥからすぐには受理できず、ＵＥによって通信に割り当てられたより高い（ノーマル）レベルに関連付けされたリクエスト又は他の通信をＵＥから受理して処理するようにしてもよい。より詳細には、ネットワークが輻輳し、ＵＥからのデフォルト（低）プライオリティのリクエストを処理することができないと判断された場合、ネットワークは、ＵＥに待機時間値を提供し、その期間中、ＵＥは低プライオリティの通信によりネットワークにコンタクトすることを試みることを控えるようにしてもよい。しかしながら、ＵＥがより高い（ノーマル）プライオリティレベルによりリクエストを発信した場合、これらのリクエストはネットワークにより受理されることが可能とされてもよい。
【００１９】
他の実施例では、ＵＥがＥｘｔｅｎｄｅｄ  Ａｃｃｅｓｓ  ＢａｒｒｉｎｇコンフィギュレーションなどのＵＥに関連するアクセス制御コンフィギュレーションを無効にする能力を有することが望ましい。Ｅｘｔｅｎｄｅｄ  Ａｃｃｅｓｓ  Ｂａｒｒｉｎｇ（ＥＡＢ）は、アクセスネットワーク及び／又はコアネットワークのオーバロードを防ぐため、オペレータがＥＡＢについて設定されたＵＥからのモバイル発信アクセス試行を制御するための機構である。輻輳又はオーバロード状況では、オペレータは、他のＵＥからのアクセスを許可しながら、ＥＡＢが設定されたＵＥからのアクセスを制限する。ＥＡＢが設定されたＵＥは、他のＵＥよりアクセス制限に対してより高い耐性を有するとみなされる。オペレータがＥＡＢを適用することが適切であると判断すると、ネットワークは、特定エリアにおいてＵＥのＥＡＢ制御を提供するのに必要な情報をブロードキャストする。
【００２０】
しかしながら、いくつかの例では、ＥＡＢコンフィギュレーションは、典型的には、上述されるような低プライオリティ無効能力に関連して無効にされる必要があるかもしれない。これは、典型的には、低アクセスプライオリティが設定されたＵＥはまたＥＡＢが設定されているという事実に関する。従って、ＵＥにより開始された通信について低プライオリティを無効にする必要があるとき、当該通信を進捗させることを可能にするため、低プライオリティを無効にする必要がある。異なる状況においてＵＥにより開始される通信についてデュアルプライオリティを提供するよう構成されるＵＥの処理がより詳細に後述される。
【００２１】
図１は、ある実施例による一例となる無線ネットワーク１００を概略的に示す。ネットワーク１００は、ＲＡＮ２０及びコアネットワーク２５を有する。ある実施例では、ネットワーク１００はＬＴＥネットワークであり、ＲＡＮ２０はＥ−ＵＴＲＡＮであり、コアネットワーク２５はＥｖｏｌｖｅｄ  Ｐａｃｋｅｔ  Ｓｙｓｔｅｍ（ＥＰＳ）タイプコアネットワークであってもよい。ＵＥ１５は、ＲＡＮ２０におけるｅＮＢ４０，４２の一方などのｅＮＢとの無線リンク（“リンク”）を介しコアネットワーク２５にアクセスしてもよい。ＵＥ１５は、例えば、１以上のプロトコルに従ってｅＮＢ４０，４２と通信するよう構成される加入者局（Ｍ２Ｍデバイスなど）であってもよい。以下の説明は、説明の簡単化のため３ＧＰＰに準拠した一例となるネットワーク１００について提供されるが、本開示の主題はこれに限定されず、開示される実施例は、ここに開示される原理から恩恵を受ける他のネットワークに適用されてもよい。ある実施例では、ＵＥ１５は、ＭＩＭＯ（Ｍｕｌｔｉｐｌｅ−Ｉｎｐｕｔ  ａｎｄ  Ｍｕｌｔｉｐｌｅ−Ｏｕｔｐｕｔ）通信方式を利用して通信するよう構成される。ＵＥ１５の１以上のアンテナは、ＲＡＮ２０の複数の各コンポーネントキャリア（ｅＮＢ４０，４２のアンテナに対応する）の無線リソースを同時に利用するのに用いられる。ＵＥ１５は、ある実施例ではダウンリンク通信などにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）及び／又はアップリンク通信などにおいてＳｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ）を利用して通信するよう構成されてもよい。
【００２２】
図１はＵＥ１５がモバイルデバイス（携帯電話など）として全体的に示しているが、各種実施例では、ＵＥ１５は、パーソナルコンピュータ（ＰＣ）、ノートブック、ウルトラブック、ネットブック、スマートフォン、ウルトラモバイルＰＣ（ＵＭＰＣ）、携帯モバイルデバイス、ＵＩＣＣ（Ｕｎｉｖｅｒｓａｌ  Ｉｎｔｅｇｒａｔｅｄ  Ｃｉｒｃｕｉｔ  Ｃａｒｄ）、ＰＤＡ（Ｐｅｒｓｏｎａｌ  Ｄｉｇｉｔａｌ  Ａｓｓｓｔａｎｔ）、加入者宅内機器（ＣＰＥ）、タブレット又はＭＰ３プレーヤーやデジタルカメラなどの他の家電機器であってもよい。上述されるように、ＵＥ１５は、Ｍ２Ｍデバイスとして知られるマシーンタイプ通信（ＭＴＣ）デバイスであってもよい。本開示では、“ＵＥ”及び“デバイス”という用語は、簡単化のため互換的に利用される。ｅＮＢ４０，４２は、１以上のアンテナ、無線インタフェース上で送受信される信号を変調及び／又は復調するための１以上の無線モジュール、及び無線インタフェース上で送受信される信号を処理するための１以上のデジタルモジュールを有してもよい。
【００２３】
ある実施例では、ＲＡＮ２０を介したＵＥ１５との通信は、１以上のノード４５（無線ネットワークコントローラなど）を介し実行されてもよい。１以上のノード４５は、コアネットワーク２５とＲＡＮ２０との間のインタフェースとして機能する。各種実施例によると、１以上のノード４５は、基地局４０，４２とコアネットワーク２５（１以上のサーバ５０など）との間のシグナリング交換を管理するよう構成されるＭＭＥ（Ｍｏｂｉｌｅ  Ｍａｎａｇｅｍｅｎｔ  Ｅｎｔｉｔｙ）（ＵＥ１５の認証など）、インターネット６５にゲートウェイルータを提供するＰＧＷ（Ｐａｃｋｅｔ  Ｄａｔａ  Ｎｅｔｗｏｒｋ  Ｇａｔｅｗａｙ）、及び／又はＲＡＮ２０のｅＮＢ４０，４２とＰＧＷとの間のユーザデータトンネル又はパスを管理するＳＧＷ（Ｓｅｒｖｉｎｇ  Ｇａｔｅｗａｙ）を有してもよい。他のタイプのノードが、他の実施例において利用されてもよい。
【００２４】
コアネットワーク２５は、ネットワーク１００とのＵＥ１５の接続状態を提供するため、ＵＥ１５の認証又は通信リンクの確立に関連する他のアクションを提供するロジック（モジュールなど）を有してもよい。例えば、コアネットワーク２５は、基地局４０，４２に通信接続される１以上のサーバ５０を有してもよい。ある実施例では、１以上のサーバ５０は、ユーザのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、認証情報などのユーザパラメータを管理するのに利用可能なＨＳＳ（Ｈｏｍｅ  Ｓｕｂｓｃｒｉｂｅｒ  Ｓｅｒｖｅｒ）を含むものであってもよい。コアネットワーク２５は、他のサーバ、インタフェース及びモジュールを含むものであってもよい。ある実施例では、１以上のサーバ５０の異なる機能に関連するロジックが、例えば、単一のマシーン又はモジュールに組み合わされることを含むサーバ数を低減するため組み合わされてもよい。
【００２５】
各種実施例によると、ネットワーク１００は、ＩＰ（Ｉｎｔｅｒｎｅｔ  Ｐｒｏｔｏｃｏｌ）ベースネットワークであってもよい。例えば、コアネットワーク２５は、少なくとも部分的にはパケット交換（ＰＳ）ネットワークなどのＩＰベースネットワークであってもよい。ネットワークノード（１以上のノード４５など）の間のインタフェースは、基地局４０，４２とのバックホール通信を含むＩＰに基づくものであってもよい。ある実施例では、ネットワーク１００は、回線交換（ＣＳ）ネットワーク（ＣＳドメインなど）との接続を提供することが可能とされてもよい。ある実施例では、ＵＥ１５は、ＬＴＥ通信環境用に構成されたＲＲＣ（Ｒａｄｉｏ  Ｒｅｓｏｕｒｃｅ  Ｃｏｎｔｒｏｌ）プロトコルなどの１以上の通信プロトコルに従ってネットワーク１００と通信してもよい。
【００２６】
図２において、ＵＥ１５とネットワーク１００との間の一例となる接続図が示される。図２００が示すように、ＵＥ１５は、ＲＲＣ接続リクエストメッセージ２０４をネットワークコントローラ２０６に送信する。ＲＲＣ接続リクエストメッセージ２０４は、ＵＥ１５がＲＡＮ２０とデータをやりとりできるように、無線リソースの割り当てに対するＵＥ１５によるリクエストであってもよい。ネットワークコントローラ２０６は、ＵＥ１５とＲＡＮ２０との間のＲＲＣ接続の確立及び／又は維持を制御する。ネットワークコントローラ２０６は、ＵＥ１５がＲＲＣ接続を確立することを試みるｅＮＢ４０又は４２に配置されてもよい。他の実施例では、ネットワークコントローラ２０６又はそのコンポーネントは、１以上のサーバ５０のあるサーバなどの１以上のノード４５のあるノード内などの更なる／代替的なネットワークエンティティに配置されてもよい。
【００２７】
ＲＡＮ２０が輻輳し、ＲＲＣ接続リクエストメッセージ２０４に関連するＲＲＣ接続をサポートすることができない場合、ネットワークコントローラ２０６は、ＲＲＣ接続リクエストメッセージ２０４を拒絶するため、ＲＲＣ接続拒絶メッセージ２０８により応答する。この場合、ＵＥ１５とＲＡＮ２０との間のＲＲＣ接続は確立されなくてもよい。一例では、ＲＲＣ接続リクエストメッセージは、アタッチリクエスト、トラッキングエリアアップデートリクエスト又は拡張サービスリクエストなどのＮＡＳリクエストメッセージに関するものであってもよい。
【００２８】
ある例では、ＭＴＣデバイスなどの特定タイプのデバイスについて、ネットワークコントローラ２０６は、接続拒絶メッセージ２０８において拡張待機時間としても知られる待機時間（ＷＴ）値を提供するか、又はデバイスに関連付けされたＥＷＴＡタイマ（“バックオフタイマ”として知られる）が、待機時間の期間中における実行をスタートし、待機時間が経過し、デバイスがネットワークにリクエストを再送することが可能になるまで、ネットワークに通信を送信することを控えるなど、デバイスを“オンホールド又は保留中”に維持してもよい。
【００２９】
待機時間値は、他の例ではデバイス（ＵＥ）に提供される。図３は、ＵＥ１５がネットワークコントローラ２０６にＲＲＣ接続リクエストメッセージ３０４を送信することによって接続リクエストを発信する例を示すブロック図３００である。本例では、ネットワークコントローラ２０６は、ＲＡＮ２０がＲＲＣ接続リクエストメッセージ３０４に関連するＲＲＣ接続をサポート可能であることを決定してもよい。従って、ネットワークコントローラ２０６は、接続セットアップメッセージ３０８により応答してもよい。複数の他のハンドシェイクメッセージ（図示せず）が、適用された通信プロトコルに従ってＵＥ１５とネットワークコントローラ２０６との間で送信されてもよい。例えば、ＵＥ１５は、接続セットアップが完了したという通知によって、接続セットアップメッセージ３０８に応答してもよい。ネットワークコントローラ２０６は、セキュリティモード確立コマンドを発行し、ＵＥ１５は、セキュリティモードが確立されたことをネットワークコントローラ２０６に通知してもよい。一実施例では、ネットワークコントローラ２０６は、待機時間値を含むＲＲＣ接続リリースメッセージを提供してもよい。すなわち、ネットワークが輻輳又はオーバロードしているとき、ネットワークコントローラ２０６は、拡張待機時間を指定し、当該待機時間の期間中に“バックオフ”するようＵＥ１５に指示する。上記説明は、デュアルプライオリティが設定されたＵＥ１５が、ネットワークが輻輳し、ＵＥ１５がリクエスト（接続リクエストなど）に応答してネットワークから待機時間値を受信する状況をどのように処理するかについて説明した。
【００３０】
図４は、ある実施例による無線ネットワーク環境においてネットワークコントローラ２０６などのネットワークコントローラとＵＥ１５などのＵＥとの間の通信を示す処理フロー図である。ＵＥはデュアルプライオリティデバイスとして設定されていることが仮定される。例えば、ＵＥは、あるケースではデバイス又はデバイスに常駐する１以上のアプリケーションに関連付けされる低プライオリティを無効にする機能を備えるよう構成されてもよい。（本開示に関する“デュアルプライオリティ”とは２以上のプライオリティを意味することが理解されるべきである。２つのプライオリティを有する具体例は、例示のためにのみ提供される。）
処理４００はブロック４０２において開始され、ＵＥはリクエスト（接続リクエストなど）をネットワークコントローラに送信する。上述されるように、ＲＲＣ接続リクエストなどのモバイルデバイスにより開始される異なるタイプの通信があってもよい。図２を参照して上述されるように、ネットワークがデバイスとの接続の確立を可能にする所定のレベルを超えて輻輳している場合、ネットワークコントローラは、ブロック４０４により示されるように、待機時間と共に拒絶メッセージにより応答してもよい（例えば、ネットワークコントローラは、上述されるようなＲＲＣ接続拒絶メッセージを送信してもよい）。ブロック４０８において、受信した待機時間は、デバイスがネットワークコントローラに他のリクエストを送信することを控える期間を決定するバックオフタイマをスタートするのに利用される。ブロック４１０において、デバイスのリクエストに関連するプライオリティ値（デフォルト（低）プライオリティ又はノーマルプライオリティなど）が、以降の利用のためデバイスにより格納される。
【００３１】
図５は、ある実施例による無線ネットワーク環境におけるＵＥ１５などのユーザ装置によるデュアルプライオリティ通信を処理するための処理フロー図である。処理５００はブロック５０２から開始され、ＵＥは、ＵＥ及び／又はＵＥ上に常駐するアプリケーションに関連付けされたデフォルト（低など）プライオリティを無効にする機能を提供するコンフィギュレーションを受信する。例えば、デフォルトプライオリティを無効にする新たなコンフィギュレーションパラメータが、ＵＥコンフィギュレーションに追加されてもよい。より詳細には、ＮＡＳ低プライオリティインジケータ設定の無効を可能にする新たなコンフィギュレーションパラメータが、ＵＥのＮＡＳ（Ｎｏｎ−Ａｃｃｅｓｓ  Ｓｔｒａｔｕｍ）コンフィギュレーションに追加されてもよい。他の例では、上述されたようなＥＡＢコンフィギュレーションを無効にすることを可能にする新たなコンフィギュレーションパラメータが、ＮＡＳコンフィギュレーションに追加されてもよい。コンフィギュレーションパラメータは、ＵＥが動作する無線通信ネットワークのプロバイダにより提供されてもよい。上述されるように、無線通信ネットワークは、例えば、ＵＴＲＡＮ又はＥ−ＵＴＲＡＮから構成されてもよい。
【００３２】
ブロック５０４において、ネットワークコントローラ２０６などのネットワークコントローラとのリクエストメッセージなどの通信が、ＵＥによって開始される。例えば、ＵＥ上に常駐するアプリケーションが、ネットワークコントローラにリクエストを送信するための必要性を示してもよい。上述されるように、ネットワークコントローラへのリクエストは、ＲＲＣ接続リクエストなどの何れかのタイプのリクエストであってもよい。他の例では、ＵＥは、アタッチ手順（ＵＥをネットワークに“アタッチ”するためのリクエストなど）、トラッキングエリアアップデート手順、位置更新手順、ルーティングエリアアップデート手順、サービスリクエスト手順などに関してネットワークコントローラにリクエストを発信してもよい。更なる他の例では、アプリケーションは、リクエスト（ネットワークを介しエンドユーザに情報を送信するためのリクエストなど）を発信してもよい。
【００３３】
判定ブロック５０６において、通信を開始したアプリケーションがデフォルトプライオリティと異なるプライオリティレベルに関連付けされているか判断される。例えば、アプリケーションはノーマルプライオリティに関連付けされているか判断されてもよい。通信を開始したアプリケーションがデフォルトプライオリティ以外のプライオリティに関連付けされていないと判断された場合、当該処理５００は判定ブロック５０８に移行する。そうでない場合、当該処理５００はブロック５１２に移行する。
【００３４】
判定ブロック５０８において、アプリケーションからの通信がデフォルトプライオリティを無効にすることを要求しているか判断される。上述されるように、典型的には、デフォルト（低）プライオリティに関連付けされ、関連するリクエスト又は他の通信を送信するアプリケーションは、より高いプライオリティに関連する通信を送信することが必要なケースがあるかもしれない。例えば、電気メータは、典型的には低プライオリティにより送信される毎日のレポートと対照的に、メータが改ざん又は破壊されている場合などに、“ノーマルプライオリティ”によりアラームを送信することを所望するかもしれない。
【００３５】
通信がデフォルトプライオリティを無効にすることを要求していないと判断された場合、ブロック５１０において、当該通信は、デフォルトプライオリティ表示によりコントローラに開始（送信など）され、通知されたプライオリティに従ってネットワークコントローラにより扱われる。
【００３６】
当該通信がデフォルト（低など）プライオリティの無効を要求していると判断された場合、当該処理５００はブロック５１２に移行し、低プライオリティは、例えば、ブロック５０２を参照して説明されたようなコンフィギュレーション設定を利用して無効にされる。ブロック５１４において、ＵＥコンフィギュレーションのデュアルプライオリティキャラクタにより可能とされる異なるレベルのプライオリティ（ノーマルプライオリティなど）によって、コントローラとの通信が開始（送信など）される。
【００３７】
図６は、ある実施例による輻輳した無線ネットワーク環境においてユーザ装置によるデュアルプライオリティ通信を処理するための処理フロー図である。図４を参照して上述されるように、輻輳したネットワークの場合、ネットワークコントローラは、待機時間が経過するまでＵＥがネットワークに通信を送信することを控えるよう指示する待機時間値を含む拒絶メッセージによって、ＵＥからの通信（接続するためのリクエストなど）に応答してもよい。ＵＥは、受信した待機時間値によりバックオフタイマをスタートし、ネットワークからの拒絶をトリガしたＵＥの以前の通信に関連付けされたプライオリティ値を格納する。
【００３８】
ある状況では、受信した待機時間値はＵＥにより無視されてもよい。しかしながら、図６に示される実施例のため、ＵＥは受信した待機時間値を無視しなくてもよいことが仮定される。
【００３９】
当該処理６００はブロック６０２から開始され、ＵＥは、図５を参照して上述された具体例と同様に、ＵＥ及び／又はＵＥ上に常駐するアプリケーションに関連付けされたデフォルト（低など）プライオリティを無効にする機能を提供するコンフィギュレーションにより構成される。ブロック６０４において、ネットワークコントローラとの通信がＵＥにより開始される。図５を参照して説明されるように、通信は、接続（ＰＤＮ接続など）又は他のモビリティマネージメント機能（アタッチ手順、トラッキングエリアアップデート手順、位置更新手順、ルーティングエリアアップデート手順、サービスリクエスト手順など）に関するものであってもよい。判定ブロック６０６において、ＵＥに関連付けされたバックオフタイマが実行中であるか判断される。バックオフタイマが実行中でないと判断された場合、当該処理はブロック６１４に移行し、開始された通信はネットワークコントローラに送信される。
【００４０】
バックオフタイマが実行中であると判断された場合、判定ブロック６０８において、デフォルト（低など）プライオリティに関連付けされた以前の通信（ＵＥにより送信された通信に対するレスポンスなど）の結果として、バックオフタイマがスタートされたか判断されてもよい。例えば、バックオフタイマは、アタッチリクエスト、トラッキングエリアアップデートリクエスト又は拡張サービスリクエストなどのＮＡＳリクエストメッセージなど、以前のモビリティマネージメント機能のために、バックオフタイマがスタートされたかもしれない。図４を参照して説明されたように（ブロック４１０）、バックオフタイマがスタートすると、バックオフタイマをトリガする通信に関連付けされたプライオリティ値（低又はノーマル）が格納される。従って、判定ブロック６０８において、バックオフタイマをトリガした通信のプライオリティレベルが決定される。バックオフタイマがデフォルト以外のプライオリティレベル（ノーマルプライオリティなど）を有する通信に関してスタートされたと判断された場合、当該処理６００はブロック６１６に移行し、開始された通信がバックオフタイマが満了したときにのみ送信される。
【００４１】
バックオフタイマが低プライオリティレベルを有する以前の通信（例えば、低プライオリティレベルを有する以前のＮＡＳリクエストメッセージなど）に関してスタートされたと判断された場合、判定ブロック６１０において、開始された通信が、ノーマルプライオリティなどのデフォルトプライオリティ以外のプライオリティに関連付けされているか判断される。図５を参照して（ブロック５０８）、ノーマルプライオリティに関連付けされるリクエストのいくつかの例が上述された。開始された通信がデフォルト（低）プライオリティ以外のプライオリティに関連付けされていないと判断された場合、当該処理６００はブロック６１６に移行し、開始された通信が、バックオフタイマが満了したときにのみ送信される。開始された通信がデフォルト（低）プライオリティ以外のプライオリティに関連付けされていると判断された場合、ブロック６１２において、ＵＥのデフォルト（低）プライオリティが無効にされる。ブロック６１４において、開始された通信は、デフォルトの低プライオリティより高いノーマルプライオリティなどのデフォルト以外のプライオリティにより送信される。
【００４２】
各種実施例は、マルチプライオリティアプリケーション／コンフィギュレーションのサポートを可能にするためのコア技術仕様に対する以下の影響のいくつかを含むものであってもよい。これらの影響は、ＵＥコンフィギュレーション、アタッチリクエスト、ロケーションエリアアップデート（ＬＡＵ）／ルーティングエリアアップデート（ＲＡＵ）／トラッキングエリアアップデート（ＴＡＵ）の処理、輻輳マネージメントの処理、ＥＰＳセッションマネージメント（ＥＳＭ）設定及びＥＡＢ設定などに影響を与えるかもしれない。
【００４３】
ＵＥコンフィギュレーションに関して、ＵＥは、低プライオリティアプリケーションをサポートするＮＡＳコンフィギュレーションＭＯにおいてＮＡＳ＿ＳｉｇｎａｌｉｎｇＰｒｉｏｒｉｔｙリーフ毎のＮＡＳシグナリング低プライオリティコンフィギュレーションを有し続ける。しかしながら、ＵＥは、低プライオリティがＮＡＳメッセージに含まれないように（エマージェンシサービス及びアクセスクラス１１〜１５のため以外のもの）、他の非低プライオリティアプリケーションについて当該コンフィギュレーションを無効にすることが可能である必要がある可能性がある。ＵＥが他の非低プライオリティアプリケーションもまたサポートするとき、低プライオリティインジケータを無効にする能力を有することを指定するための更なるコンフィギュレーションオプションが、ＮＡＳコンフィギュレーションＭＯに加えられてもよい。
【００４４】
アタッチリクエストに関して、現在の仕様ではアタッチリクエストがネットワーク輻輳又はオーバロード状態により拒絶される場合、ＵＥは、バックオフタイマを起動し、当該バックオフタイマの実行中は他のアタッチリクエストを発信しない。本実施例では、この動作は非低プライオリティアプリケーションについては変更される。ＵＥは、ネットワーク輻輳状態を無効にし、例えば、ＮＡＳメッセージのデバイスプロパティに低プライオリティインジケータを適切に設定するなどによって、非低プライオリティアプリケーションに対するアタッチリクエストを発信することが可能とされる。
【００４５】
ＬＡＵ／ＲＡＵ／ＴＡＵの処理に関して、現在の仕様ではネットワークが輻輳し、ＵＥがバックオフタイマを実行中である場合、ＬＡＵ／ＲＡＵ／ＴＡＵ手順は、バックオフタイマが満了又は停止されるまで開始されない。しかしながら、ＵＥが非低プライオリティアプリケーションに対してアタッチリクエストの完了に成功可能であり、当該接続がアクティブ状態のままである場合、ＵＥは、低プライオリティアプリケーションのバックオフタイマが実行中であったとしても、何れかのＥＰＳベアラコンテクストがアクティブ状態である限り、ＬＡＵ／ＲＡＵ／ＴＡＵ手順を開始することが可能とされるべきである。
【００４６】
輻輳管理の処理に関して、低プライオリティアプリケーションの輻輳及びオーバロード管理に対して影響があるべきでない。しかしながら、特定の状態では低プライオリティインジケータのないＮＡＳメッセージがまた拒絶される可能性があり、ＵＥはバックオフタイマを起動することが求められる可能性がある。このような場合にＵＥが異なるアプリケーション（低プライオリティ及び他の非低プライオリティアプリケーション）に対して単一のバックオフタイマセットを維持することが望ましいかもしれない。このような状態では、低プライオリティアプリケーションのための手順及びガイドラインはまた、他の非低プライオリティアプリケーションに適用されてもよい。
【００４７】
ＥＳＭ設定に関して、デバイスプロパティのＥＳＭ設定は、ＰＤＮ接続を利用するアプリケーションのプライオリティに基づきＵＥによって確立されてもよく、例えば、ＵＥは、ＰＤＮ接続プライオリティに基づきＥＳＭメッセージのデバイスプライオリティを設定してもよい。ある実施例では、ＵＥは、デバイス／ＵＥ全体のベースと対照的に、ＰＤＮ接続毎にセッション管理バックオフタイマを管理する。例えば、ＵＥは、複数のＰＤＮ接続のそれぞれについてセッション管理バックオフタイマを制御してもよい。他の実施例では、単一のセッション管理タイマが、複数のＰＤＮ接続を制御するのに利用されてもよい。実行中のアプリケーションに基づくようにデバイスプロパティを設定する処理は、変更される必要がある可能性がある。さらに、セッション管理手順は、この状況を反映するよう修正される必要があるかもしれない。
【００４８】
ＮＡＳシグナリング低プライオリティが設定されたＵＥは、ＵＥが低プライオリティインジケータを“ＭＳがＮＡＳシグナリング低プライオリティに設定されない”に設定する特定の状況を除き、“ＭＳがＮＡＳシグナリング低プライオリティに設定される”に対する低プライオリティインジケータによって、適切なＮＡＳメッセージにおいてデバイスプロパティＩＥを含めることによって、これを通知してもよい。各種実施例は、これらの状況が限定することなく、デュアルプライオリティサポートを提供し、ＮＡＳシグナリング低プライオリティインジケータを無効にするよう設定されるＵＥが、“ＭＳはＮＡＳシグナリング低プライオリティに設定されない”に設定された低プライオリティインジケータによって、ＰＤＮ接続を確立しているとき、“ＭＳはＮＡＳシグナリング低プライオリティに設定されない”に設定された低プライオリティインジケータにより確立されたＰＤＮ接続に関するＥＰＳセッション管理手順を実行しているとき、及び／又は“ＭＳはＮＡＳシグナリング低プライオリティに設定されない”に低プライオリティインジケータを設定することによって確立されたＰＤＮ接続を有し、ＥＰＳモビリティ管理手順を実行しているときを含むことを提供する。“ＭＳに設定された低プライオリティインジケータによりＰＤＮ接続を確立”することは、当該ＰＤＮ接続を確立するのに用いられる１以上のＮＡＳメッセージが“ＭＳはＮＡＳシグナリング低プライオリティが設定されない”ことを示すよう設定された低プライオリティインジケータによるデバイスエレメントＩＥを有することを意味すると理解されてもよい。同様に、ＥＰＳセッション管理手順を実行し、及び／又はＥＰＳモビリティ管理手順を実行するのに用いられる１以上のＮＡＳメッセージは、同様に設定されたそれらのデバイスエレメントＩＥの低プライオリティインジケータを有してもよい。
【００４９】
本開示の実施例は、何れか適切なハードウェア及び／又はソフトウェアを用いて所望されるように構成されたシステムにより実現されてもよい。図７は、ここに開示された各種実施例を実施するのに利用可能な一例となるシステムを概略的に示す。図７は、一実施例について、１以上のプロセッサ７０４、プロセッサ７０４の少なくとも１つに接続されるシステム制御モジュール７０８、システム制御モジュール７０８に接続されるシステムメモリ７１２、システム制御モジュール７０８に接続される不揮発性メモリ（ＮＶＭ）／ストレージ７１７、及びシステム制御モジュール７０８に接続される１以上の通信インタフェース７２０を有する一例となるシステム７００を示す。
【００５０】
ある実施例では、システム７００は、ここに開示されるようなＵＥ１５として機能することが可能である。他の実施例では、システム７００は、図１の１以上のノード４５又は１以上のサーバ５０として機能することが可能であるか、又はここに開示されるｅＮＢ４０，４２及び／又は他のモジュールについて開示される機能を実行するロジック／モジュールを提供してもよい。ある実施例では、システム７００は、命令を有する１以上のコンピュータ可読媒体（システムメモリ又はＮＶＭ／ストレージ７１７など）と、１以上のコンピュータ可読媒体に接続され、ここに開示されるアクションを実行するようモジュールを実現するための命令を実行するよう構成される１以上のプロセッサ（プロセッサ７０４など）とを有してもよい。
【００５１】
一実施例のシステム制御モジュール７０８は、プロセッサ７０４の少なくとも１つ及び／又はシステム制御モジュール７０８と通信する何れか適切なデバイス又はコンポーネントとの何れか適切なインタフェースを提供するための何れか適切なインタフェースコントローラを有してもよい。
【００５２】
システム制御モジュール７０８は、システムメモリ７１２とのインタフェースを提供するメモリコントローラモジュール７１０を有してもよい。メモリコントローラモジュール７１０は、ハードウェアモジュール、ソフトウェアモジュール及び／又はファームウェアモジュールであってもよい。
【００５３】
システムメモリ７１２は、システム７００のためなどのデータ及び／又は命令をロード及び格納するのに利用されてもよい。一実施例のシステムメモリ７１２は、適切なＤＲＡＭなどの何れか適切な揮発性メモリを有してもよい。ある実施例では、システムメモリ７１２は、ＤＤＲ４  ＳＤＲＡＭ（Ｄｏｕｂｌｅ  Ｄａｔａ  Ｒａｔｅ  ｔｙｐｅ４  Ｓｙｎｃｈｒｏｎｏｕｓ  Ｄｙｎａｍｉｃ  Ｒａｎｄｏｍ−Ａｃｃｅｓｓ  Ｍｅｍｏｒｙ）を有してもよい。
【００５４】
一実施例のシステム制御モジュール７０８は、ＮＶＭ／ストレージ７１７及び通信インタフェース７２０とのインタフェースを提供する１以上の入出力（Ｉ／Ｏ）コントローラを有してもよい。
【００５５】
ＮＶＭ／ストレージ７１７は、例えば、データ及び／又は命令を格納するのに利用されてもよい。ＮＶＭ／ストレージ７１７は、フラッシュメモリなどの何れか適切な不揮発性メモリを有し、及び／又は１以上のハードディスクドライブ（ＨＤＤ）、１以上のコンパクトディスク（ＣＤ）ドライブ及び／又は１以上のＤＶＤ（Ｄｉｇｉｔａｌ  Ｖｅｒｓａｔｉｌｅ  Ｄｉｓｃ）ドライブなどの何れか適切な不揮発性ストレージデバイスを有してもよい。
【００５６】
ＮＶＭ／ストレージ７１７は、システム７００がインストールされる、又はアクセス可能なデバイスの一部である必要はないが、デバイスのストレージリソースの物理的パーツを有してもよい。例えば、ＮＶＭ／ストレージ７１７は、通信インタフェース７２０を介しネットワーク上でアクセスされてもよい。
【００５７】
通信インタフェース７２０は、１以上のネットワークを介し及び／又は他の何れか適切なデバイスと通信するためのシステム７００のためのインタフェースを提供してもよい。システム７００は、１以上の無線ネットワーク規格及び／又はプロトコルの何れかに従って無線ネットワークの１以上のコンポーネントを無線通信してもよい。
【００５８】
一実施例では、プロセッサ７０４の少なくとも１つは、メモリコントローラモジュール７１０などのシステム制御モジュール７０８の１以上のコントローラのためのロジックと一緒にパッケージングされてもよい。一実施例では、プロセッサ７０４の少なくとも１つは、Ｓｙｓｔｅｍ  ｉｎ  Ｐａｃｋａｇｅ（ＳｉＰ）を構成するためシステム制御モジュール７０８の１以上のコントローラのためのロジックと一緒にパッケージングされてもよい。一実施例では、プロセッサ７０４の少なくとも１つは、システム制御モジュール７０８の１以上のコントローラのためのロジックと同じダイに一体化されてもよい。一実施例では、プロセッサ７０４の少なくとも１つは、Ｓｙｓｔｅｍ  ｏｎ  Ｃｈｉｐ（ＳｏＣ）を構成するため、システム制御モジュール７０８の１以上のコントローラのためのロジックと同じダイ上に一体化されてもよい。
【００５９】
各種実施例では、システム７００は、限定することなく、サーバ、ワークステーション、デスクトップ計算デバイス又はモバイル計算デバイス（ラップトップ計算デバイス、携帯計算デバイス、タブレット、ネットブックなど）であってもよい。各種実施例では、システム７００は、より多く又はより少ないコンポーネント及び／又は異なるアーキテクチャを有してもよい。例えば、ある実施例では、システム７００は、カメラ、キーボード、液晶ディスプレイ（ＬＣＤ）スクリーン（タッチスクリーンディスプレイを含む）、不揮発性メモリポート、複数のアンテナ、グラフィックチップ、ＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）及びスピーカの１以上を含むものであってもよい。
【００６０】
各種実施例によると、本開示は、命令を有する１以上のコンピュータ可読媒体と、１以上のコンピュータ可読媒体に接続され、命令を実行するよう構成される１以上のプロセッサとを有するデバイスについて記載し、当該命令は、マシーンタイプ通信についてデフォルトコンフィギュレーションとして第１プライオリティレベルにデバイスを設定するステップと、当該デバイスに関連するアプリケーションから、当該アプリケーションがネットワークコントローラに第１プライオリティレベルより高い第２プライオリティレベルに関連する通信を生成したことを示す通知を受信するステップと、当該通知に応答して、マシーンタイプ通信について無効コンフィギュレーションとして第２プライオリティレベルにデバイスを設定するステップを有する。
【００６１】
各種実施例によると、本開示は、コントローラプロセッサと、命令を格納するコントローラメモリとを有するネットワークコントローラを有するシステムについて記載し、当該命令は、コントローラプロセッサ上で実行されると、コントローラプロセッサにネットワークコントローラとの第１通信に応答して待機時間値を提供させる。当該システムは更に、マシーンタイプ通信について第１プライオリティレベルにより設定されたデバイスを含み、当該デバイスは、デバイスプロセッサと命令を格納したデバイスメモリとを有し、当該命令は、デバイスプロセッサ上で実行されると、デバイスプロセッサにネットワークコントローラとの第２通信を生成させ、第１通信に関連するバックオフタイマが実行中であるか判定させ、当該判定に基づき、ネットワークコントローラに第２通信を送信するか判定させる。
【００６２】
各種実施例によると、本開示は、第１プライオリティレベルによるデフォルトコンフィギュレーションと、第１プライオリティレベルを無効にし、第１プライオリティレベルより高い第２プライオリティレベルを割り当てる能力とを含む、デュアルプライオリティコンフィギュレーションを可能にするステップと、第２プライオリティレベルに関連する通信であって、ネットワークコントローラに送信される通信の通知を受信するステップと、第２プライオリティレベルによる通信をネットワークコントローラに送信するステップとを有する。
【００６３】
各種実施例によると、本開示は、命令を格納したコンピュータ可読媒体について記載し、当該命令は、計算デバイス上で実行されると、計算デバイスに、第１プライオリティレベルに関連するデフォルトコンフィギュレーションを割り当て、第１プライオリティレベルを無効にし、第１プライオリティレベルより高い第２プライオリティレベルを割り当てる能力を提供することを含む、デュアルプライオリティコンフィギュレーションにより無線デバイスを設定させ、第２プライオリティレベルに関連する通信であって、ネットワークコントローラに送信される通信の通知を受信させ、以前の通信に関連するバックオフタイマが実行中であるか判定させ、以前の通信が第１プライオリティレベルに関連するか判定させ、バックオフタイマが実行中であり、以前の通信が第１プライオリティレベルに関連すると判定されると通信を送信させる。
【００６４】
説明のため特定の実施例が図示及び記載されたが、同一の目的を実現するため計算される広範な代替的及び／又は均等な実施例又は実現形態が、本開示の範囲から逸脱することなく図示及び記載された実施例に対して置換されてもよい。本出願は、ここに開示された実施例の何れかの適応又は変形をカバーすることが意図される。従って、ここに開示される実施例は請求項及びその均等によってのみ限定されることが明確に意図される。ある実施例は、命令を有する１以上のコンピュータ可読媒体について記載し、当該命令は、実行されると、上位レイヤから、ＵＥ（マシーン・ツー・マシーンデバイスなど）が第１プライオリティレベルに関連するサービスのため無線通信ネットワークにアクセスするリクエストを受信するステップと、バックオフタイマが実行中であると判断するステップと、前記バックオフタイマが前記第１プライオリティレベル又は前記第１プライオリティレベルより低い第２プライオリティレベルを有する他のＮＡＳリクエストメッセージ通信に基づき起動されたかの判定に基づき、ネットワークコントローラ（ＭＴＣコントローラなど）へのＮＡＳリクエストメッセージの送信のタイミングを決定するステップと、をデバイスに実行させる。
【００６５】
前記命令は更に、実行されると、前記バックオフタイマが前記第１プライオリティレベルを有する他のＮＡＳリクエストメッセージに基づき起動されたと判定するステップと、前記バックオフタイマが満了すると前記ＮＡＳリクエストメッセージを送信するステップと、を前記デバイスに実行させてもよい。前記命令は更に、実行されると、前記バックオフタイマが前記第２プライオリティレベルを有する他のＮＡＳリクエストメッセージに基づき起動されたと判定するステップと、前記バックオフタイマの実行中に前記ＮＡＳリクエストメッセージを送信するステップと、を前記デバイスに実行させてもよい。前記他のＮＡＳリクエストメッセージは、前記第１又は第２プライオリティレベルを示すためのインジケータを有してもよい。前記ＮＡＳリクエストメッセージ又は前記他のＮＡＳリクエストメッセージは、アタッチリクエスト、トラッキングエリアアップデートリクエスト又は拡張サービスリクエストであってもよい。前記命令は更に、実行されると、デバイスコンフィギュレーションマネージメントオブジェクトに関連するコンフィギュレーションパラメータであって、前記デバイスのコンフィギュレーションを前記デバイスが無効にできることを示す前記コンフィギュレーションパラメータを追加するステップを前記デバイスに実行させてもよく、前記コンフィギュレーションは、前記第２プライオリティレベル又はＥＡＢ（Ｅｘｔｅｎｄｅｄ  Ａｃｃｅｓｓ  Ｂａｒｒｉｎｇ）コンフィギュレーションに関連するデフォルトコンフィギュレーションである。コンフィギュレーションパラメータは、無線通信システムのプロバイダによってマネージメントオブジェクトに提供されてもよい。
【００６６】
前記命令は更に、実行されると、第２プライオリティレベルに関連するデフォルトコンフィギュレーションを割り当て、第２プライオリティレベルを無効にし、第１プライオリティレベルを割り当てる能力を提供することによって、デュアルプライオリティコンフィギュレーションによりデバイスを設定するステップをデバイスに実行させてもよい。
【００６７】
ある実施例は、１以上のコンピュータ可読媒体と、１以上のコンピュータ可読媒体に接続され、ここに開示される命令を実行するよう構成される１以上のプロセッサとを有する装置（マシーン・ツー・マシーンデバイス、ネットワークコントローラなど）について記載する。ある実施例では、当該装置は、ここに開示される処理を実行するための各種手段により構成されてもよい。
【００６８】
ある実施例は、命令を有する１以上のコンピュータ可読媒体について記載し、前記命令は、実行されると、ＭＳがＮＡＳシグナリング低プライオリティに設定されていることを示すよう設定される低プライオリティインジケータを有するデバイスプロパティＩＥを含む第１ＮＡＳメッセージを、ＥＰＳのネットワークコントローラに送信するステップと、ＰＤＮ接続を確立するための第２ＮＡＳメッセージであって、前記ＭＳがＮＡＳシグナリング低プライオリティに設定されていないことを示すよう設定される低プライオリティインジケータを含む前記第２ＮＡＳメッセージを送信するステップと、前記ＰＤＮ接続に関するＥＰＳセッションマネージメント（ＥＳＭ）手順又は前記ＰＤＮに関するＥＰＳモビリティマネージメント手順を実行するステップと、をデバイスに実行させる。
【００６９】
前記命令は更に、実行されると、前記ＰＤＮ接続に関するＥＳＭ手順を実行するステップを前記デバイスに実行させてもよい。
【００７０】
前記命令は更に、実行されると、前記ＥＳＭ手順を実行するため前記ＭＳがＮＡＳシグナリング低プライオリティに設定されていないことを示すよう設定される低プライオリティインジケータを含む第３ＮＡＳメッセージを送信するステップを前記デバイスに実行させてもよい。
【００７１】
前記命令は更に、実行されると、前記ＰＤＮ接続に関するＥＰＳモビリティマネージメント手順を実行するステップを前記デバイスに実行させてもよい。
【００７２】
前記命令は更に、実行されると、ＥＰＳモビリティマネージメント手順を実行するため、ＭＳがＮＡＳシグナリング低プライオリティに設定されていないことを示すよう設定される低プライオリティインジケータを含む第３ＮＡＳメッセージを送信するステップをデバイスに実行させてもよい。
【００７３】
前記命令は更に、実行されると、マシーンタイプ通信についてデフォルトコンフィギュレーションとして低プライオリティによりデバイスを設定するステップをデバイスに実行させてもよい。
【００７４】
前記命令は更に、実行されると、デバイスコンフィギュレーションマネージメントオブジェクトに関連するコンフィギュレーションパラメータを追加するステップをデバイスに実行させてもよく、コンフィギュレーションパラメータはデバイスのコンフィギュレーションをデバイスが無効にすることが可能であることを示し、コンフィギュレーションは低プライオリティレベル又はＥＡＢコンフィギュレーションに関連するデフォルトコンフィギュレーションである。
【００７５】
前記命令は更に、実行されると、第１プライオリティレベルに関連するアプリケーションのためにＰＤＮ接続を確立するステップと、第１プライオリティレベルに基づき１以上のＥＳＭ手順のデバイスプロパティを設定するステップと、１以上のＥＳＭメッセージを送信するステップとをデバイスに実行させてもよい。
【００７６】
前記命令は更に、実行されると、ＰＤＮ接続を含む複数のＰＤＮ接続のそれぞれについてセッションマネージメントバックオフタイマを制御するステップをデバイスに実行させてもよい。
【００７７】
前記命令は更に、デフォルトコンフィギュレーションとして第２プライオリティレベルにデバイスを設定するステップと、相対的により高いプライオリティレベルである第１プライオリティレベルによる第２プライオリティレベルの無効を可能にするステップとをデバイスに実行させてもよい。
【００７８】
前記命令は更に、実行されると、ＰＤＮ接続を確立するため、第１プライオリティレベルに関連するＮＡＳメッセージを送信するステップをデバイスに実行させてもよい。
【００７９】
前記命令は更に、実行されると、第１プライオリティレベルを示すようにデバイスプロパティ情報エレメント（ＩＥ）をＮＡＳメッセージに設定するステップをデバイスに実行させてもよい。
【００８０】
ある実施例では、ユーザ装置がＮＡＳシグナリング低プライオリティに設定されていることを示すための低プライオリティインジケータによるデバイスプロパティ情報エレメントを１以上のＮＡＳメッセージに含めることによって、低プライオリティ通信に前記ユーザ装置を設定するステップと、前記ユーザ装置がＮＡＳシグナリング低プライオリティに設定されていないことを示すための低プライオリティインジケータによるデバイスプロパティ情報エレメントを少なくとも１つのＮＡＳメッセージに含めることによって、非低プライオリティ通信に前記ユーザ装置を設定するステップとを有する方法であって、前記非低プライオリティ通信に前記ユーザ装置を設定するステップは、ＥＰＳセッションマネージメント手順を実行するため、及び／又はＥＰＳモビリティマネージメント手順を実行するため実行される方法が記載される。
【００８１】
前記非低プライオリティ通信に前記ユーザ装置を設定するステップは、前記ユーザ装置がＮＡＳシグナリング低プライオリティに設定されていないことを示すよう設定されるデバイスプロパティ情報エレメントを有するＮＡＳメッセージによって確立されたＰＤＮ接続に関連するＥＰＳセッションマネージメント手順について実行されてもよい。
【００８２】
本方法は、ＥＰＳセッションマネージメント手順を実行するため、前記ユーザ装置がＮＡＳシグナリング低プライオリティに設定されていないことを示すよう設定されるデバイスプロパティ情報エレメントを有する他のＮＡＳメッセージを送信するステップを更に有してもよい。
【００８３】
ある実施例は、ユーザ装置がＮＡＳシグナリング低プライオリティに設定されていることを示すための低プライオリティインジケータによるデバイスプロパティ情報エレメントを１以上のＮＡＳメッセージに含めることによって、低プライオリティ通信に前記ユーザ装置を設定するステップと、前記ユーザ装置がＮＡＳシグナリング低プライオリティに設定されていないことを示すための低プライオリティインジケータによるデバイスプロパティ情報エレメントを少なくとも１つのＮＡＳメッセージに含めることによって、非低プライオリティ通信に前記ユーザ装置を設定するステップとを実行する１以上のモジュールであって、前記ユーザ装置は、ＥＰＳセッションマネージメント手順を実行するため、及び／又はＥＰＳモビリティマネージメント手順を実行するため非低プライオリティ通信に設定される、１以上のモジュールと、前記１以上のモジュールを実現する１以上のプロセッサとを有する装置を含む。
【００８４】
前記ユーザ装置は、前記ユーザ装置がＮＡＳシグナリング低プライオリティに設定されていないことを示すよう設定されるデバイスプロパティ情報エレメントを有するＮＡＳメッセージによって確立されたＰＤＮ接続に関連するＥＰＳセッションマネージメント手順を実行するため、非低プライオリティ通信に設定されてもよい。前記１以上のモジュールは更に、ＥＰＳセッションマネージメント手順を実行するため、前記ユーザ装置がＮＡＳシグナリング低プライオリティに設定されていないことを示すよう設定されるデバイスプロパティ情報エレメントを有する他のＮＡＳメッセージを送信してもよい。
【００８５】
前記ユーザ装置は、前記ユーザ装置がＮＡＳシグナリング低プライオリティに設定されていないことを示すよう設定されるデバイスプロパティ情報エレメントを有するＮＡＳメッセージによって確立されたＰＤＮ接続に関連するＥＰＳモビリティマネージメント手順を実行するため、非低プライオリティ通信に設定されてもよい。
【００８６】
前記１以上のモジュールは更に、ＥＰＳモビリティマネージメント手順を実行するため、前記ユーザ装置がＮＡＳシグナリング低プライオリティに設定されていないことを示すよう設定されるデバイスプロパティ情報エレメントを有する他のＮＡＳメッセージを送信してもよい。
【００８７】
ある実施例は、装置であって、無線通信ネットワーク上のマシーンタイプ通信についてデフォルトコンフィギュレーションとして第１プライオリティレベルにより当該装置を設定するロジック（又は手段）と、当該装置に関連するアプリケーションから、前記アプリケーションが前記第１プライオリティレベルより高い第２プライオリティレベルに関連することを示す通知を受信するロジック（又は手段）と、前記通知に応答して、マシーンタイプ通信について無効コンフィギュレーションとして前記第２プライオリティレベルにより当該装置を設定するロジック（又は手段）とを有する装置について記載する。
【００８８】
当該装置は更に、以前の通信に関連するバックオフタイマが実行中であるか判定するロジック（又は手段）を有してもよい。
【００８９】
当該装置は更に、前記以前の通信が前記第１プライオリティレベルに関連するか判定するロジック（又は手段）と、前記以前の通信が前記第１プライオリティレベルに関連すると判定されると、ネットワークコントローラとの通信を開始するロジック（又は手段）とを有してもよい。
【００９０】
当該装置は更に、前記以前の通信が前記第１プライオリティレベルに関連しないと判定されると、バックオフタイマの満了後にネットワークコントローラとの通信を開始するロジック（又は手段）を有してもよく、前記以前の通信は前記第２プライオリティレベルに関連すると判定される。
【００９１】
ネットワークコントローラとの通信は、ＲＲＣアタッチリクエスト、ＲＲＣトラッキングエリアアップデートリクエスト、ＲＲＣサービスリクエスト、ＲＲＣロケーションリクエスト又はＲＲＣルーティングエリアアップデートリクエストであってもよい。
【００９２】
ネットワークコントローラは、Ｅ−ＵＴＲＡＮの一部であってもよい。
【００９３】
当該装置は更に、デバイスコンフィギュレーションマネージメントオブジェクトに関連するコンフィギュレーションパラメータを追加するロジック（又は手段）を有してもよく、コンフィギュレーションパラメータは当該装置に関連するデフォルトコンフィギュレーションを無効にすることが可能であることを示す。コンフィギュレーションパラメータは、無線通信ネットワークのプロバイダによってマネージメントオブジェクトに提供されてもよい。
【００９４】
各種実施例は、命令を有する１以上のコンピュータ可読媒体であって、前記命令は、実行されると、マシーン・ツー・マシーン（Ｍ２Ｍ）デバイスがデフォルトの低プライオリティコンフィギュレーション又はＥＡＢ（Ｅｘｔｅｎｄｅｄ  Ａｃｃｅｓｓ  Ｂａｒｒｉｎｇ）コンフィギュレーションを無効にすることが可能なデュアルプライオリティコンフィギュレーションにより前記Ｍ２Ｍデバイスを設定するステップと、前記Ｍ２Ｍデバイスから１以上のネットワークリクエストを受信するステップであって、前記１以上のネットワークリクエストの個々のネットワークリクエストは、各ネットワークリクエストに関連するプライオリティインジケータを含む、受信するステップとをネットワークコントローラに実行させるコンピュータ可読媒体について記載する。
【００９５】
前記命令は更に、実行されると、前記Ｍ２Ｍデバイスのデバイスコンフィギュレーションマネージメントオブジェクトに、前記Ｍ２Ｍデバイスが前記デフォルトの低プライオリティコンフィギュレーション又は前記ＥＡＢコンフィギュレーションを無効することが可能であることを示すためのコンフィギュレーションパラメータを提供するステップを前記ネットワークコントローラに実行させてもよい。
【００９６】
ある実施例は、実行可能な命令により設定された１以上の計算デバイスの制御の下、デュアルプライオリティＮＡＳ（Ｎｏｎ−Ａｃｃｅｓｓ  Ｓｔｒａｔｕｍ）コンフィギュレーションを可能にするステップであって、第１プライオリティレベルによるデフォルトコンフィギュレーションと、前記第１プライオリティレベルを無効にし、前記第１プライオリティレベルより高い第２プライオリティレベルを割り当てる能力とを含む、可能にするステップと、上位レイヤから、前記第２プライオリティレベルに関連するサービスに対するリクエストを受信するステップと、前記第２プライオリティレベルによる通信をネットワークコントローラに送信するステップとを有するコンピュータにより実現される方法について記載する。
【００９７】
前記第２プライオリティレベルによる通信をネットワークコントローラに送信するステップは、以前の通信に関連するバックオフタイマが実行中であるか判定するステップと、前記以前の通信が前記第１プライオリティレベルに関連するか判定するステップと、前記バックオフタイマが実行中であり、前記以前の通信が前記第１プライオリティレベルに関連すると判定されると、前記通信を送信するステップとを有してもよい。
【００９８】
通信の送信は、バックオフタイマが実行中であり、以前の通信が第１プライオリティレベルに関連しないと判定されると、バックオフタイマの満了後に実行されてもよい。
【図１】
0005876166.tif 000002
【図２】
0005876166.tif 000003
【図３】
0005876166.tif 000004
【図４】
0005876166.tif 000005
【図５】
0005876166.tif 000006
【図６】
0005876166.tif 000007
【図７】
0005876166.tif 000008